(57)【要約】【課題】通信装置の使い勝手を向上させる。【解決手段】受信信号のレベルが、Ｓメータ１０によって検出される。状態検出部１１は、受信信号のレベルが一定以上あっても、フレーム同期部３の処理でフレーム同期が確立されていなときには、この状態を示す信号をスイッチ６に与える。受信信号のレベルが一定以上あってもフレーム同期が確立されていなことを示す信号が与えられたスイッチ６は、シンセサイザ７から与えられた所定の可聴音のデータを選択出力し、スピーカ９からその可聴音を発生させる。スイッチ６は、フレーム同期が確立したときには、復号化部５から与えられた音声データを選択出力し、スピーカ９から音声を発生させる。従って、利用者は、聴取だけで通信装置の状態が認識できる。【選択図】　図１
2004064592.tif 000002
【特許請求の範囲】
【請求項１】
送信側によって送信対象信号が符号化され複数のフレームに分散されて組込まれたデジタルデータ群を受信する受信手段（１，２，３１，３２）と、
前記受信手段（１，２，３１，３２）で受信されたデジタルデータ群についてフレーム同期を確立させ、前記各フレームを検出する同期確立手段（３，４，３３，３４）と、
前記同期確立手段（３，４，３３，３４）の処理結果に基づき前記送信対象信号を復元する復元手段（５，３９）と、
前記受信手段で受信する信号のレベルを測定するレベル測定手段（１０，３５）と、
前記レベル測定手段の測定結果に基づき前記受信手段で受信する信号のレベルが所定値以上で且つ前記フレーム同期が確立されていない状態を検出する状態検出手段（１１，３８）と、
前記状態検出手段（１１，３８）によって前記レベルが所定値以上で且つ前記フレーム同期が確立されていない状態が検出されたときに所定の可聴音を発生する可聴音発生手段（６，７，８，９，３６，４０，４１）と、
を備えることを特徴とする通信装置。
【請求項２】
前記送信対象信号は、音声信号であり、
前記状態検出手段（１１，３８）は、前記レベル測定手段（１０，３５）の測定結果に基づき、前記受信手段（１，２，３１，３２）で受信する信号のレベルが所定値以上で且つ前記フレーム同期が確立されていない第１の状態と、該信号のレベルが所定値以上で且つ前記フレーム同期が確立された第２の状態と、該信号のレベルが所定値未満で且つ前記フレーム同期が確立されていない第３の状態と、該信号のレベルが所定値未満で且つ前記フレーム同期が確立された第４の状態とを検出し、
前記可聴音発生手段（６，７，８，９，３６，４０，４１）は、前記第１の状態が検出されたときに前記所定の可音を発生し、前記第２の状態が検出されたときに前記復元手段によって復元された音声信号に対応する音声を発生し、前記第３の状態或いは第４の状態が検出されたときには音を発生しないことを特徴とする請求項１に記載の通信装置。
【請求項３】
前記デジタルデータ群は、前記送信側より無線で送信されていることを特徴とする請求項１又は２に記載の通信装置。
【請求項４】
送信側によって送信対象信号が符号化されて複数のフレームに分散されて組込まれたデジタルデータ群を受信し、前記デジタルデータ群についてフレーム同期を確立させて該各フレームを検出し、その結果に基づいて前記送信対象信号を復元する通信方法において、
前記受信する信号のレベルを測定し、前記レベルが所定値以上で且つ前記フレーム同期が確立されていない状態を検出し、
前記状態が検出されたときに、所定の可聴音を発生させることを特徴とする通信方法。
【発明の詳細な説明】
【０００１】
【発明の属する技術分野】
本発明は、通信装置及び通信方法に関するものである。
【０００２】
【従来の技術】
従来より、送信側が音声信号をデジタル化し複数のフレームに分散して組込んだデジタルデータ群を受信し、音声を再生する通信装置がある。送信側が送信するそのデジタルデータ群の始め側には、フレーム同期信号が含まれている。
【０００３】
音声を再生する側の通信装置では、フレーム同期信号を復号化し、受信したデジタルデータ群について、そのフレーム同期信号を用いて送信側とのフレーム同期を確立して各フレームを検出する。そして、フレーム単位で音声信号を復号化し、復号化した音声信号に基づき音声を再生する。
【０００４】
【発明が解決しようとする課題】
従来の通信装置では、フェージング等により、フレーム同期が確立していない場合には、音声信号の正しい復号化ができないため、同期が確立していない期間には受信データを無効として破棄する。この場合には、無音の状態となる。通信装置は、フレーム同期が確立するまで、フレーム同期信号の復号化を繰り返すが、送られてくるフレーム同期信号のインターバルが長ければ、それだけ無音状態が続くことになる。また、通信チャネルにアナログ、或いはフレーム構成が異なるデジタルデータが存在する場合にも、それらが無効データと見なされ、同様に無音の状態になる。
【０００５】
このように無音の状態が続く場合、受信データを受信していないのか、フレーム同期が確立されていないかを判断したい場合がある。通信装置によっては、受信データのレベルを測定するＳメータを備えたり、さらに、そのレベルが所定値以上の場合に点灯或いは点滅する表示ランプを備えるものがある。このような通信装置では、Ｓメータの指示値を確認したり、表示ランプの点灯状態を目視で確認することにより、無音の状態があっても受信データを受信しているか否かを判断することができる。しかしながら、目視でＳメータや表示ランプの状態を確認する必要があり、使い勝手が悪かった。
【０００６】
本発明は、使い勝手のよい通信装置を提供することを目的とする。
【０００７】
【課題を解決するための手段】
上記目的を達成するために、本発明の第１の観点に係る通信装置は、送信側によって送信対象信号が符号化され複数のフレームに分散されて組込まれたデジタルデータ群を受信する受信手段と、前記受信手段で受信されたデジタルデータ群についてフレーム同期を確立させ、前記各フレームを検出する同期確立手段と、前記同期確立手段の処理結果に基づき前記送信対象信号を復元する復元手段と、前記受信手段で受信する信号のレベルを測定するレベル測定手段と、前記レベル測定手段の測定結果に基づき前記受信手段で受信する信号のレベルが所定値以上で且つ前記フレーム同期が確立されていない状態を検出する状態検出手段と、前記状態検出手段によって前記レベルが所定値以上で且つ前記フレーム同期が確立されていない状態が検出されたときに所定の可聴音を発生する可聴音発生手段と、を備えることを特徴とする。
【０００８】
このような構成を採用したことにより、レベル測定手段によって受信信号のレベルが測定される。これにより、受信しているか否かが判明する。状態検出手段によって、前記受信手段で受信する信号のレベルが所定値以上で且つ前記フレーム同期が確立されていない状態が検出される。即ち、受信信号を受信しているが、フレーム同期が確立されていない状態が検出される。このときには、所定の可聴音が、可聴音発生手段によって、発生される。これにより、通信装置の状態が、聴取でき、従来のように目視する必要がない。
【０００９】
なお、前記送信対象信号は、音声信号であり、前記状態検出手段は、前記レベル測定手段の測定結果に基づき、前記受信手段で受信する信号のレベルが所定値以上で且つ前記フレーム同期が確立されていない第１の状態と、該信号のレベルが所定値以上で且つ前記フレーム同期が確立された第２の状態と、該信号のレベルが所定値未満で且つ前記フレーム同期が確立されていない第３の状態と、該信号のレベルが所定値未満で且つ前記フレーム同期が確立された第４の状態とを検出し、前記可聴音発生手段は、前記第１の状態が検出されたときに前記所定の可聴音を発生し、前記第２の状態が検出されたときに前記復元手段によって復元された音声信号に対応する音声を発生し、前記第３の状態或いは第４の状態が検出されたときには音を発生しないようにしてもよい。
また、前記デジタルデータ群は、前記送信側より無線で送信されていてもよい。
【００１０】
上記目的を達成するために、本発明の第２の観点に係る通信方法は、送信側によって送信対象信号が符号化されて複数のフレームに分散されて組込まれたデジタルデータ群を受信し、前記デジタルデータ群についてフレーム同期を確立させて各フレームを検出し、その結果に基づき前記送信対象信号を復元する通信方法において、前記受信する信号のレベルを測定し、前記レベルが所定値以上で且つ前記フレーム同期が確立されていない状態を検出し、前記状態が検出されたときに、所定の可聴音を発生させることを特徴とする。
【００１１】
【発明の実施の形態】
以下、この発明の実施の形態に係る通信装置及び通信方法を図面を参照して説明する。
［第１の実施形態］
図１は、本発明の第１の実施形態に係る通信装置を示す構成図である。図２は、図１中のＳメータ１０の構成例を示す回路図である。
【００１２】
この通信装置は、アンテナ１と、受信処理部２と、フレーム同期部３と、音声データ抽出部４と、復号化部５と、スイッチ６と、シンセサイザ７と、増幅器８と、スピーカ９とを備えると共に、Ｓメーター１０と、状態検出部１１とを備えている。
【００１３】
この通信装置は、音声を再生する機能を持つ装置であり、送信側の通信機Ｔかは、デジタル化された音声信号が複数のフレームに分けて組込まれたデジタルデータ群ＤＴによって搬送波を変調して得られた被変調波が無線送信される。アンテナ１は、送信側Ｔから送信された信号を受波する。
【００１４】
受信処理部２は、ダウンコンバータ２ａ、復調回路２ｂ及びビット同期回路（ビット同期）２ｃ等を備え、ダウンコンバータ２ａが、アンテナ１を介して受信した信号を中間周波数の信号に変換し、復調回路２ｂが復調を行ってベースバンド信号を抽出する。ビット同期回路２ｃは、ベースバンド信号のビット同期を取り、デジタルデータ群ＤＴに対応するビット列データＳ２を出力する。
【００１５】
フレーム同期部３及び音声データ抽出部４は、同期確立手段を形成するものであり、受信処理部２に接続されている。フレーム同期部３は、ＤＳＰ（ＤｉｇｉｔａｌＳｉｇｎａｌ　Ｐｒｏｃｅｓｓｏｒ）等から構成され、ビット列データＳ２に対するフレーム同期を確立して各フレームを検出する。音声データ抽出部４は、ＤＳＰ等から構成され、複数のフレームからデジタル化された音声データを抽出する。
【００１６】
復号化部５は、デジタル／アナログ変換回路等から構成され、音声データ抽出部４が出力するディジタルの音声データを復号化してアナログの音声信号を生成する。
スイッチ６は、復号化部５の出力端子とシンセサイザ７の出力端子と状態検出部１１の出力端子とに接続されたスリーステートスイッチである。スイッチ６は、状態検出部１１から出力される切替え信号に基づき、シンセサイザ７の出力信号、復号化部５の出力信号を切替えて出力するか、或いは音を発生するための信号を出力しない。
【００１７】
増幅器８は、スイッチ６に接続され、スイッチ６から与えられた信号の増幅を行う。
スピーカ９は、増幅器８に接続され、スイッチ６及び増幅器８と相俟って可聴音発生手段となり、音を発生する。シンセサイザ７は、所定の可聴音となる信号を発生するものである。
【００１８】
Ｓメータ１０は、この通信装置における受信信号のレベルを測定する手段であり、例えば受信処理部２中のダウンコンバータ２ａの出力端子に接続されている。
図２に示すＳメータ１０は、入力端子に一方の電極が接続されたカットオフコンデンサ１０ａを備えている。カットオフコンデンサ１０ａの他方の電極は、抵抗１０ｂの一端と、抵抗１０ｃの一端と、ＮＰＮ型トランジスタ１０ｄのベースとに接続されている。抵抗１０ｂ，１０ｃは、トランジスタ１０ｄのバイアス電圧を設定するものであり、抵抗１０ｂの他端が接地され、抵抗１０ｃの他端及びトランジスタ１０ｄのコレクタが電源に接続されている。
【００１９】
トランジスタ１０ｄのエミッタが、エミッタ抵抗１０ｅを介して接地されると共に、カットオフコンデンサ１０ｆの一方の電極に接続されている。カットオフコンデンサ１０ｆの他方の電極が、ダイオード１０ｇのアノードとダイオード１０ｈのカソードとに接続されている。ダイオード１０ｈのアノードは、接地されている。ダイオード１０ｇのカソードがコンデンサ１０ｉの一方の電極に接続されている。コンデンサ１０ｉの他方の電極は、接地されている。
【００２０】
ダイオード１０ｇ，１０ｈ及びコンデンサ１０ｉは、整流回路となる。ダイオード１０ｇのアノードとコンデンサ１０ｉとの接続点が、抵抗１０ｊの一端に接続され、抵抗１０ｊの他方の端子には、平滑コンデンサ１０ｋの一方の電極が接続されている。平滑コンデンサ１０ｋの他方の電極は、接地されている。コンデンサ１０ｋの一方の電極と抵抗１０ｊとの接続点が、Ｓメータ１０の出力端子ＯＵＴとなり、受信信号の平均電力に対応する電圧が、平滑コンデンサ１０ｋに充電される。出力端子とグランドとの間に、例えば直流電流計１０ｍを接続すると、平均電力の測定値が読取ることもできるようになる。
【００２１】
状態検出部１１は、Ｓメータ１０の出力端子に接続されるととも、フレーム同期部３に接続されている。この状態検出部１１は、受信信号のレベルが所定値以上で且つフレーム同期が確立されていない状態を検出する。
【００２２】
以下、図１の通信装置の動作を、図３及び図４を参照しつつ、説明する。
図３は、送信側から送信するデジタルデータ群ＤＴの説明図である。図４は、図１の動作を示すタイミングチャートである。
送信側の通信機Ｔは、送信対象のアナログの音声信号を符号化し、図３のように、複数の音声フレーム（音声）２１に分割して組込み、デジタルデータ群ＤＴを形成する。デジタルデータ群ＤＴでは、音声フレーム２１の前に、ヘッダ情報２２、フレーム同期を確立させるためのバースト信号（フレーム同期）２３、及びビット同期を確立させるためのバースト信号（ビット同期）２４が、付加されている。送信側の通信機Ｔは、デジタルデータ群ＤＴにより、搬送波を変調して被変調波を放射する。なお、図３では、バースト信号２３が一カ所に配置されているが、さらに、複数の音声フレーム２１の間に任意に配置されていてもよい。
【００２３】
図１の通信装置は、アンテナ１でその被変調波を受波する。受信処理部２のダウンコンバータ２ａは、アンテナ１を介して入力された被変調波を中間周波数の信号に変換し、復調回路２ｂは中間周波数を復調してベースバンド号を生成する。ビット同期回路２ｃは、ベースバンド信号に対してバースト信号２４を利用してビット同期を確立する。これにより、デジタルデータ群ＤＴに相当するビット列データＳ２が生成される。
【００２４】
フレーム同期部３は、ビット列データＳ２からバースト信号２３と同じビットパターンを有する場所をサーチし、その場所がサーチできたときに、各フレームに対応する位置を特定する。即ち、フレーム同期を確立させる。バースト信号２３と同じビットパタンの場所がサーチできない場合、即ち、フレーム同期が確立できなかった場合には、フレーム同期部３は、逐次入力されるビット列データＳ２について継続してサーチを繰り返す。
【００２５】
音声データ抽出部４は、フレーム同期部３の処理によって特定された各フレームの位置情報に基づき、ビット列データＳ２における各音声フレーム２１に対応するデータを抽出し、送信対象であった音声信号に対応するデジタルの音声データ列を作成する。
【００２６】
復号化部５は、音声データ抽出部４から与えられた音声データ列を復号化してスイッチ６に与える。
一方、シンセサイザ７は、フレーム同期が確立されていない状態を示すために用いる可聴音の元となる可聴音信号を発生してスイッチ６に出力する。また、Ｓメータ１０は、ダウンコンバータ２ａの出力信号を通信装置の受信信号としてその平均電力を測定し、平均電力を示す電圧を状態検出部１１に与えている。
【００２７】
状態検出部１１は、Ｓメータ１０から与えられた電圧とフレーム同期部３の処理結果とから、現在どの状態になっているかを検出する。即ち、状態検出部１１は、受信信号のレベルが所定値以上で且つフレーム同期が確立されていない状態と、受信信号のレベルが所定値以上で且つフレーム同期が確立された状態と、受信信号のレベルが所定値未満で且つフレーム同期が確立されていない状態と、受信信号のレベルが所定値未満で且つフレーム同期が確立された状態とを検出し、スイッチ６に対して対応する切替え信号を与える。
【００２８】
そのときの状態が、受信信号のレベルが所定値未満で且つフレーム同期が確立されていない状態であることを検出したとき、状態検出部１１は、スイッチ６に信号を出力させない切替え信号を出力する。
【００２９】
そのときの状態が、受信信号のレベルが所定値以上で且つフレーム同期が確立されていない状態であることを検出したとき、状態検出部１１は、スイッチ６にシンセサイザ７の出力信号を選択して出力させるための切替え信号を出力する。
【００３０】
そのときの状態が、受信信号のレベルが所定値以上で且つフレーム同期が確立された状態であることを検出したとき、状態検出部１１は、スイッチ６に復号化部５の出力信号を選択して出力させる切替え信号を出力する。
そのときの状態が受信信号のレベルが所定値未満で且つフレーム同期が確立された状態であることを検出したとき、状態検出部１１は、スイッチ６に信号を出力させない切替え信号を出力する。なお、状態検出部１１が各状態を検出する際、受信信号が所定値以上或いは未満になったことを一定時間確認し、フレーム同期が確立されたか否かを一定時間確認して状態を判定すると、状態検出の確実性が向上する。
【００３１】
スイッチ６は、状態検出部１１から出力された切替え信号に従って動作する。増幅器８は、スイッチ６から与えられた信号を増幅し、スピーカ９に与える。
以上の結果、例えば送信側の通信機Ｔからデジタルデータ群ＤＴが送信されない期間には、図４に示すように、Ｓメータ１０の出力が所定値未満である。また、フレーム同期も確立されない。よって、スピーカ９は、音を発生しない。
【００３２】
送信機Ｔからデジタルデータ群ＤＴが送信されたときには、ダウンコンバータ２ａの出力信号のレベルが上がると共に、受信処理部２がビット列データＳ２を出力する。ここで、フレーム同期が確立しないときには、スイッチ６がシンセサイザ７の出力信号を出力するので、スピーカ９は、所定の可聴音（ビープ音等）を発生する。フレーム同期が確立されないのは、フェージング等の影響が考えられると共に、通信チャネルにアナログ波或いはフレーム構成の異なるデジタル波が存在する場合等がある。利用者は聴覚のみで、音声は聞かれない状態であるが、受信はしていることを認識できる。
【００３３】
スピーカ９が所定の可聴音を発生しているときに、通信機Ｔから送信されていたデジタルデータ群ＤＴが終了したときには、Ｓメータ１０の出力信号のレベルが下がるので、スイッチ６が音の元になる信号を出力しなくなる。よって、スピーカ９は、音を発生しなくなる。これにより、利用者は、通信が終了したことを認識できる。
【００３４】
また、送信機Ｔからデジタルデータ群ＤＴが送信されて、フレーム同期が確立したときには、スイッチ６が復号化部５の出力信号を出力するので、スピーカ９は、復号化された音声信号に対応する音声を発生する。
【００３５】
スピーカ９が音声を発生しているときに、通信機Ｔから送信されていたデジタルデータ群ＤＴが終了したときには、Ｓメータ１０の出力信号のレベルが下がって所定値未満になると共に、ビット列データＳ２が受信処理部２から出力されなくなる。このときには、スイッチ６が音の元になる信号を出力しなくなる。よって、スピーカ９は、音声を発生しなくなる。これにより、利用者は、通信が終了したことを認識できる。
【００３６】
以上のように、本実施形態の通信装置では、送信対象である音声信号を再現できると共に、受信信号のレベルが所定値以上でもフレーム同期がとれなくて無音になっている期間に、所定の可聴音を発生することができる。よって、通信装置の使い勝手が向上する。
【００３７】
［第２の実施形態］
図５は、本発明の第２の実施形態に係る通信装置を示す構成図である。
この通信装置は、アンテナ３１と、受信処理部３２と、フレーム同期部３３と、音声データ抽出部３４と、Ｓメータ３５と、ＣＰＵ３６と、メモリ３７と、状態検出部３８と、復号化部３９と，増幅器４０と、スピーカ４１とを備えている。
【００３８】
アンテナ３１に受信処理部３２が接続され、受信処理部３２にフレーム同期部３３、音声データ抽出部３４及びＳメータ３５が接続されている。これらのアンテナ３１、受信処理部３２、フレーム同期部３３、音声データ抽出部３４、Ｓメータ３５は、第１の実施形態のアンテナ１、受信処理部２、フレーム同期部３、音声データ抽出部４及びＳメータ１０と同様のものである。
【００３９】
図５の通信装置においては、音声データ抽出部３４の出力側にＣＰＵ３６が接続されている。ＣＰＵ３６には、メモリ３７が接続されている。
ＣＰＵ３６は、第１の実施形態のスイッチ６の代わりに設けられたものであり、メモリ３７は、シンセサイザ７の代わりに設けられたものである。メモリ３７には、可聴音となるデジタルのデータが格納されている。
【００４０】
Ｓメータ３５の出力側に状態検出部３８が接続されている。状態検出部３８は、第１の実施形態の状態検出部１１と同様の機能を有し、状態検出部３８の出力端子がＣＰＵ３６に接続されている。
【００４１】
ＣＰＵ３６の出力側に、復号化部３９が接続され、復号化部３９の出力側に増幅器４０及びスピーカ４１が順に接続されている。復号化部３９は、ＣＰＵ３６が出力するデジタルデータを復号化する。増幅器４０及びスピーカ４１は、第１の実施形態の増幅器８及びスピーカ９と同様のものである。
【００４２】
次に、この通信装置の動作を説明する。
図示しない送信側の通信機Ｔから第１の実形態と同様に送信されたデジタルデータ群ＤＴに対し、アンテナ３１、受信処理部３２、フレーム同期部３３、音声データ抽出部３４は、第１の実施形態のアンテナ１、受信処理部２、フレーム同期部３及び音声データ抽出部４と同様に動作し、音声データ抽出部３４からは、デジタルの音声データがＣＰＵ３６に与えられる。Ｓメータ３５は、受信信号のレベルを検出し、状態検出部３８に与える。
【００４３】
状態検出部３８は、第１の実施形態の状態検出部１１と同様に、Ｓメータ３５から与えられた受信信号のレベルと、フレーム同期部３３の処理結果とに基づき、受信信号のレベルが所定値以上で且つフレーム同期が確立されていない状態と、受信信号のレベルが所定値以上で且つレーム同期が確立された状態と、受信信号のレベルが所定値未満で且つフレーム同期が確立されていない状態と、受信信号のレベルが所定値未満で且つフレーム同期が確立された状態とを検出する。Ｓメータ３５は、検出結果の状態をＣＰＵ３６に示す。
【００４４】
そのときの状態が、受信信号のレベルが所定値未満で且つフレーム同期が確立されていない状態であるとき、ＣＰＵ３６は、何も出力しない。そのときの状態が、受信信号のレベルが所定値以上で且つフレーム同期が確立されていない状態であるとき、ＣＰＵ３６は、メモリから読み出した可聴音のデータを出力する。
【００４５】
そのときの状態が、受信信号のレベルが所定値以上で且つフレーム同期が確立された状態であるとき、ＣＰＵ３６は、音声データ抽出部３４から与えられた音声データを出力する。そのときの状態が、受信信号のレベルが所定値未満で且つフレーム同期が確立された状態であるとき、ＣＰＵ３６は、なにも出力しない。
【００４６】
復号化部３９は、ＣＰＵ３６が出力したデータを復号化し、増幅器４０に与える。増幅器４０は、復号化部３９から与えられた信号を増幅し、スピーカ４１が、増幅器４０から与えられた信号に対応する音を発生する。
【００４７】
このような動作をすることにより、送信機Ｔからデジタルデータ群ＤＴが送信されたときに、フレーム同期が確立しない場合には、メモリ３７から読み出された可聴音のデータをＣＰＵ３６が出力するので、スピーカ４１は、所定の可聴音を発生する。フレーム同期が確立されないのは、フェージング等の影響が考えられると共に、通信チャネルにアナログ波或いはフレーム構成の異なるデジタル波が存在する場合等がある。このような場合でも、利用者は、聴覚のみで、音声は聞かれない状態であるが、受信はしていることを認識できる。
【００４８】
スピーカ４１が所定の可聴音を発生しているときに、通信機Ｔから送信されていたデジタルデータ群ＤＴが終了したときには、Ｓメータ３５の出力信号のレベルが所定値未満になる。このときには、スピーカ４１は、音を発生しなくなる。これにより、利用者は、通信が終了したことを認識できる。
【００４９】
また、送信機Ｔからデジタルデータ群ＤＴが送信されて、フレーム同期が確立したときには、ＣＰＵ３６が音声データ抽出部３４の出力する音声データを出力するので、スピーカ４１は、復号化された音声信号に対応する音声を発生する。
スピーカ４１が音声を発生しているときに、通信機Ｔから送信されていたデジタルデータ群ＤＴが終了したときには、Ｓメータ３５の出力信号のレベルが所定値未満になる。このときには、スピーカ４１は、音声を発生しなくなる。これにより、利用者は、通信が終了したことを認識できる。
【００５０】
以上のように、この実施形態の通信装置では、第１の実施形態と同様に、使い勝手がよいとともに、メモリ３７が可聴音のデータを格納するので、可聴音の変更等が容易であるという利点を有する。
【００５１】
なお、本発明は、上記実施形態に限定されず、種々の変形が可能である。その変形例としては、次のようなものがある。
（１）　第１及び第２の実施形態では、通信機Ｔが無線でデジタルデータ群ＤＴを送信するものとしていたが、本発明は、通信機Ｔが有線で送信する場合にも適用できる。
【００５２】
（２）　第２の実施形態にＣＰＵ３６に、状態検出部３８の機能を持たせ、状態検出部３８を省略することも可能である。
（３）　本発明は、音声データの受信及び再生ばかりでなく、他のデータのパケット通信にも、適用可能である。
【００５３】
【発明の効果】
以上詳細に説明したように、本発明によれば、使い勝手のよい通信装置が実現できる。
【図面の簡単な説明】
【図１】本発明の第１の実施形態に係る通信装置を示す構成図である。
【図２】図１中のＳメータの構成例を示す回路図である。
【図３】通信装置Ｔが送信するデジタルデータ群ＤＴの説明図である。
【図４】図１の通信装置の動作を示すタイミングチャートである。
【図５】本発明の第２の実施形態に係る通信装置を示す構成図である。
【符号の説明】
１，３１　　　　　　アンテナ
２，３２　　　　　　受信処理部
３，３３　　　　　　フレーム同期部
４，３４　　　　　　音声データ抽出部
５，３９　　　　　　復号化部
６　　　　　　　　　スイッチ
７　　　　　　　　　シンセサイザ
９，４１　　　　　　スピーカ
１０，３５　　　　　Ｓメータ
１１，３８　　　　　状態検出部
３６　　　　　　　　ＣＰＵ
３７　　　　　　　　メモリ
【図１】
2004064592.tif 000003
【図２】
2004064592.tif 000004
【図３】
2004064592.tif 000005
【図４】
2004064592.tif 000006
【図５】
2004064592.tif 000007